(57)【要約】【課題】制御装置の機器接続を示した図面から制御装置の盤内構造を示す図面を自動で生成する。【解決手段】制御盤の盤内機器接続図面を格納する機器接続図面データ格納部１１と、盤内機器接続図面に記載された機器のデータを格納する機器データ格納部１３と、盤内構造図を作成するためのルールを格納する構造図作成ルール格納部１５と、機器接続図面データ格納部から盤内機器接続図面に記載された機器の種別・台数・接続情報を取得する機器情報取得手段１２と、機器情報取得手段１２から取得した機器の種別の情報をもとに機器データ格納部１３から機器データを取得する機器データ取得手段１４と、機器情報取得手段１２および機器データ取得手段１４から取得した情報と、構造図作成ルール格納部１５から取得したルールをもとに盤内構造を示す図面を作成する構造図面生成手段１６を備えた。【選択図】図１
2016212709.tif 000002
【特許請求の範囲】
【請求項１】
制御盤の盤内機器接続図面の電子データを格納する機器接続図面データ格納部と、前記盤内機器接続図面に記載された機器のデータを格納する機器データ格納部と、盤内構造図を作成するためのルールを格納する構造図作成ルール格納部と、前記機器接続図面データ格納部から盤内機器接続図面に記載された機器の種別・台数・接続情報を取得する機器情報取得手段と、前記機器情報取得手段から取得した機器の種別の情報をもとに前記機器データ格納部から機器データを取得する機器データ取得手段と、前記機器情報取得手段および前記機器データ取得手段から取得した情報と、前記構造図作成ルール格納部から取得したルールをもとに盤内構造を示す図面を作成する構造図面生成手段を備えた構造図面自動生成装置。
【請求項２】
前記機器データ格納部は、機器の種別に応じた外形寸法と前記機器を制御盤に取り付ける際のねじ穴の位置、および前記機器に設けられるコネクタまたは端子の位置の機器データを格納している請求項１に記載の構造図面自動生成装置。
【発明の詳細な説明】
【技術分野】
【０００１】
この発明は、産業用制御装置の機器の接続状態を示した図面から制御装置の盤内構造図を自動的に生成する構造図面自動生成装置に関するものである。
【背景技術】
【０００２】
従来、特にシステムに合わせた個別設計を必要とする産業用の制御盤の盤内構造を設計するにあたり、設計者が盤内機器の接続図面から盤に実装する機器の種類や台数、接続順序等の情報を読み取り、盤スペース、配線ルート、メンテナンス性等の制約を考慮しながら手作業で盤内構造図を設計・作成していた。
また、変電所等に設置されるガス絶縁開閉装置や建築物等の配管設備において、電気回路図や配管系統図を基に、各機能要素を実現する機器や部品を選定して、指定された空間に収まるように機器や部品の配置を決定するレイアウト設計を支援する装置が知られている（例えば、特許文献１参照）。
【先行技術文献】
【特許文献】
【０００３】
【特許文献１】特許第３９３３７９２号公報
【発明の概要】
【発明が解決しようとする課題】
【０００４】
産業用の制御盤の盤内構造を設計するにあたり、設計者が盤内機器の接続図面から盤に実装する機器を抽出し、その種類や台数、接続順序等の情報を読み取り、盤スペース、配線ルート、メンテナンス性等を考慮しながら、手作業で盤内構造図を設計・作成するものおいては、人手を要して作成に時間がかかっていた。
また、特許文献１のようなレイアウト設計を支援する装置は、あくまで支援であり、設計にかかる時間を短縮する効果はあるが、人手そのものを無くすことはできなかった。
【０００５】
この発明は、上記のような課題を解決するためになされたものであり、制御盤の盤内機器の接続状態を示した図面をインプットとし、あらかじめ登録された機器データと構造図作成ルールを用いることで、自動的に盤内構造図を生成する構造図面自動生成装置を得ることを目的とするものである。
【課題を解決するための手段】
【０００６】
この発明に係る構造図面自動生成装置は、制御盤の盤内機器接続図面の電子データを格納する機器接続図面データ格納部と、盤内機器接続図面に記載された機器のデータを格納する機器データ格納部と、盤内構造図を作成するためのルールを格納する構造図作成ルール格納部と、機器接続図面データ格納部から盤内機器接続図面に記載された機器の種別・台数・接続情報を取得する機器情報取得手段と、機器情報取得手段から取得した機器の種別の情報をもとに機器データ格納部から機器データを取得する機器データ取得手段と、機器情報取得手段および機器データ取得手段から取得した情報と、構造図作成ルール格納部から取得したルールをもとに盤内構造を示す図面を作成する構造図面生成手段を備えたものである。
【発明の効果】
【０００７】
この発明によれば、制御装置の盤構造図を作成する作業が自動化されるため、作成時間および費用が削減できる。
【図面の簡単な説明】
【０００８】
【図１】この発明の実施の形態１に係る構造図面自動生成装置を示す構成図である。
【図２】この発明の実施の形態１に係る構造図面自動生成装置を構成する機器接続図面データ格納部に格納される盤内機器接続図面の一例を示す図である。
【図３】この発明の実施の形態１に係る構造図面自動生成装置を構成する機器データ格納部に格納される機器データの一例を示す図である。
【図４】この発明の実施の形態１に係る構造図面自動生成装置によって作成された盤内構造図面の一例を示す図である。
【発明を実施するための形態】
【０００９】
実施の形態１．
以下、この発明の実施の形態１に係る構造図面自動生成装置を図１から図４に基づいて詳細に説明する。
図１は実施の形態１に係る構造図面自動生成装置の構成図を示し、機器接続図面データ格納部１１、機器データ格納部１３および構造図作成ルール格納部１５の３つのデータ格納部と、機器情報取得手段１２、機器データ取得手段１４および構造図面生成手段１６の３つの処理部から構成されている。
【００１０】
データ格納部は、産業用制御盤の盤内機器接続図面の電子データを格納する機器接続図面データ格納部１１と、盤内機器接続図面に記載される機器のデータを格納する機器データ格納部１３と、盤内構造図を作成するためのルールを格納する構造図作成ルール格納部１５となっている。
機器接続図面データ格納部１１に格納される盤内機器接続図面は、一例として図２に示されるように機器の接続状態を示した図である。
【００１１】
図２で示す盤内機器接続図面には、制御盤２１の中に収められる機器とその接続情報が記載されている。
図２において、電源装置２１１は、機器Ａ２１３と機器Ｃ２１５と接続されており、その接続は電源装置２１１の端子Ｔ１、Ｔ２から、機器Ａ２１３と機器Ｃ２１５のそれぞれの機器の端子Ｔ１、Ｔ２に配線されている。機器Ａ２１３のコネクタ端子Ｃ１は、機器Ｂ２１４のコネクタ端子Ｃ１に接続されている。また、別の電源装置２１２は、機器Ａ２１６と接続されており、その接続は電源装置２１２の端子Ｔ１、Ｔ２から、機器Ａ２１６の端子Ｔ１、Ｔ２に配線されている。
【００１２】
機器情報取得手段１２は、機器接続図面データ格納部１１に格納されている機器接続図面を解析して、図面に記載された機器の種別・台数（電源装置が２台、機器Ａが２台、機器Ｂ、機器Ｃが各１台）の機器情報、および接続情報等を取得し、機器データ取得手段１４および構造図面生成手段１６に情報を渡す。
機器データ取得手段１４は、機器情報取得手段１２から渡された機器種別の情報をもとに機器データ格納部１３から機器データを取得し、構造図面生成手段１６に情報を渡す。
【００１３】
図３は機器データ格納部１３に格納されている機器データの一例を示し、図３は機器Ａの外形を示しており、図３（ａ）は正面図、図３（ｂ）は裏面図、図３（ｃ）は側面図である。
図３に示す機器データには、機器Ａの高さ・幅・奥行の外形寸法の他に、制御盤に取り付ける際のねじ穴３１１、コネクタ３１２、端子３１３の位置、およびコネクタ付ケーブルを接続する際の配線スペース３１４等が含まれ、これらが構造図面を作成する際の機器データとなる。
【００１４】
機器データとしては、外形寸法とねじ穴の位置は必須となるが、コネクタや端子の位置および配線スペースは機器に応じて適宜選択される。これらの機器データは、機器種別をキーに検索できるように機器データ格納部１３に保存される。
その他の機器Ｂ、機器Ｃおよび電源装置などの機器についても、機器Ａと同様なデータが格納されている。
【００１５】
構造図面生成手段１６は、機器情報取得手段１２から取得した機器情報および接続情報と機器データ取得手段１４から取得した機器データの情報と、構造図作成ルール格納部１５から取得した作成ルールをもとに盤内構造を示す図面を作成する。
作成ルールは、複数のルールの組み合わせから成る。例えば、次のようなルールＡ〜Ｃが考えられ、それらの組み合わせによって、一つの制御盤の構造図作成ルールを構成する。
ルールＡ：電源装置は盤の上部に配置する。
ルールＢ：機器Ａと機器Ｂをコネクタ接続して使う場合、隣接した位置に配置する。
ルールＣ：コネクタケーブルは他の電線と配線ルートが重ならないこと。
【００１６】
ルールはソフトウェアで処理可能なものであれば、特に制限はない。
構造図面生成手段１６は上記のルールＡ〜Ｃに従って、盤内機器を配置し、すべてのルールを満たせる場合は、その結果を構造図として出力する。もし、ルールをすべて満たせる構造が複数ある場合は、そのうちの一つを出力する。また、ルールを満たす構成が無い場合は、満たせないルールと合わせてエラーを出力する。
【００１７】
図４は構造図面生成手段１６から出力される盤内構造図の一例を示し、図４（ａ）は側面図、図４（ｂ）は正面図、図４（ｃ）は背面図をそれぞれ示している。この図４は一例であって、必ずしもこの様式による必要はない。例えば、ケーブルルートだけを別図面で出力する図面形態をとる場合や、正面図、側面図、背面図の組合せだけでなく、上から輪切り状に見た図面を加えたものを構造図とする場合などの様々な図面形態を許容できる。これらの図面の定義は構造図面生成手段１６において定義する。
【００１８】
以上のようにこの発明は、産業用制御装置などの盤内構造図を作成するにあたり、盤内の機器の接続状態を示した図面をインプットし、あらかじめ登録された機器データと構造図作成ルールを用いることで、自動的に盤内構造図を生成することができるので、一度構造図作成ルールを作成しておけば、同様な制御装置において、盤内機器接続図面をインプットにして自動で構造図を作成することができる。
【００１９】
以上、この発明の実施の形態を記述したが、この発明は実施の形態に限定されるものではなく、種々の設計変更を行うことが可能であり、その発明の範囲内において、各実施の形態を自由に組み合わせたり、各実施の形態を適宜、変形、省略することが可能である。
【符号の説明】
【００２０】
１１：機器接続図面データ格納部、  １２：機器情報取得手段、
１３：機器データ格納部、          １４：機器データ取得手段、
１５：構造図作成ルール格納部、    １６：構造図面生成手段
【図１】
2016212709.tif 000003
【図２】
2016212709.tif 000004
【図３】
2016212709.tif 000005
【図４】
2016212709.tif 000006